(57)【特許請求の範囲】
【請求項１】
軌道方向に対して交差する方向に並べられたまくら木本体と、少なくとも隣接する２つのまくら木本体同士を連結する連結部材とを有し、まくら木本体の上部に２本のレールが位置するように設置されるまくら木の設置構造であって、
まくら木本体は、道床に敷設されるもので、バラスト道床と、それ以外の道床又は道床が存在しない無道床領域が混在した場所に敷設されるものであり、
２本のレールのうち１本のレールがバラスト道床に位置する場所においては、隣接するまくら木本体同士はバラスト道床内で前記連結部材によって連結されるものであり、
２本のレールのうち１本のレールの天地方向投影面上には、連結部材が位置しており、もう１本のレールの天地方向投影面上には、連結部材が存在しないことを特徴とするまくら木の設置構造。
【請求項２】
連結部材は、線状の繊維で補強されており、
当該連結部材であって隣接するまくら木本体間の部位は、レールの延伸方向に繊維補強されていることを特徴とする請求項１に記載のまくら木の設置構造。
【請求項３】
連結部材であって隣接するまくら木本体間の部位の曲げ強度が、２０ＭＰａ以上となっていることを特徴とする請求項１又は２に記載のまくら木の設置構造。
【請求項４】
前記バラスト道床に位置するレールは、連結部材の天地方向の投影面上に位置することを特徴とする請求項１乃至３のいずれかに記載のまくら木の設置構造。
【請求項５】
前記バラスト道床と、それ以外の道床又は道床が存在しない無道床領域との境界部位が、軌道方向に対して傾斜する方向に延伸している場所に設置されることを特徴とする請求項１乃至４のいずれかに記載のまくら木の設置構造。
【請求項６】
軌道方向に対して交差する方向に並べられたまくら木本体と、少なくとも隣接する２つのまくら木本体同士を連結する連結部材とを有し、まくら木本体の上部に２本のレールが位置するように設置されるまくら木の設置構造であって、
まくら木本体は、道床に敷設されるもので、バラスト道床と、それ以外の道床又は道床が存在しない無道床領域が混在した場所に敷設されるものであり、
２本のレールのうち１本のレールがバラスト道床に位置する場所においては、隣接するまくら木本体同士はバラスト道床内で前記連結部材によって連結されるものであり、
前記２つのまくら木本体は、前記バラスト道床と、前記無道床領域との境界部位を跨っており、
前記境界部位近傍には、天地方向上方に張り出した突起物が設けられており、
前記まくら木本体は、その下面に切り欠きが設けられ、当該切り欠きに前記突起物の一部が進入していることを特徴とするまくら木の設置構造。
【請求項７】
軌道上に配されるとともに、道床に敷設されるまくら木において、
バラスト道床と、それ以外の道床又は道床が存在しない無道床領域が混在した場所に設置されるまくら木であって、
軌道方向に対して交差する方向に並べられたまくら木本体と、少なくとも隣接する２つのまくら木本体同士を連結する連結部材とを有し、
まくら木本体は、上部に２本のレールが位置し、
２本のレールのうち１本のレールがバラスト道床に位置する部位においては、隣接するまくら木本体同士はバラスト道床内で前記連結部材によって連結しており、
道床に敷設された状態において、２本のレールのうち１本のレールの天地方向投影面上に連結部材が位置しており、もう１本のレールの天地方向投影面上に連結部材が位置しないことを特徴とするまくら木。
【発明の詳細な説明】
【技術分野】
【０００１】
本発明は、まくら木及びその設置構造に関するものである。特に本発明は、バラスト軌道とバラスト軌道以外の軌道との境界部分に敷設されるまくら木及びその設置構造に関する。
【背景技術】
【０００２】
従来から、鉄道の軌道には、大きく分けて、路盤上に道床を敷設しその上にまくら木を設置する有道床軌道と、路盤上に直接まくら木を設置する無道床軌道とに分けられる。有道床軌道には、路盤上に道床として砕石や砂利等からなるバラストを敷設するバラスト軌道（例えば、特許文献１）や、路盤上にバラスト以外の道床を敷設する軌道がある。バラスト軌道以外の有道床軌道には、例えばコンクリートで固められた直結軌道やコンクリートスラブが並べられたコンクリートスラブ軌道などがある。
バラスト軌道は、バラストが適度に弾性を有しているため騒音が少なく、保守点検が容易であることから、住宅街などの路線で主に用いられている。一方、バラスト軌道以外の軌道は、道床自体が剛直であり、保守点検の間隔を長くできることから地下鉄や長大トンネルなど保守点検が困難な路線で主に使用されている。
また、無道床軌道は、鉄橋の橋桁など、路盤自体が剛直な場所で主に使用されている（例えば特許文献２）。
【先行技術文献】
【特許文献】
【０００３】
【特許文献１】特開平９−１６５７０３号公報
【特許文献２】特開２００４−３３２５３１号公報
【発明の概要】
【発明が解決しようとする課題】
【０００４】
上記したように鉄道軌道においては、地理や環境によって軌道の種類を選択し、敷設している。そのため、各軌道の境界近傍、例えば鉄橋近傍には、バラスト軌道から無道床軌道に軌道が変換される領域（具体的にはバラストと橋桁の境界）がある。このような領域では、レールがバラスト軌道と無道床軌道との境界を跨がって設置されている。
【０００５】
ところで、鉄道軌道の中には、２つの路線が交わる場所がある。このような場所においては個々の路線の軌道方向が互いに交差しており、同じ高さに軌道を敷設すると、互いの軌道が干渉する。そのため、それぞれの路線の高さを変えて互いの路線を独立させて設置し、互いの路線が干渉することを防止している。即ち、このような領域では、一方の鉄道軌道に鉄橋などを設けて、鉄橋の下方にもう一方の鉄道軌道を敷設している。つまり、このような場合には、鉄道軌道間を立体的に交差させている。このとき、地理や環境の制限によって、バラスト軌道から鉄橋へ変わる境界部分が、レールに対して直交できない場合がある。このような場合、バラスト軌道から鉄橋へ変わる境界部分は、レールに対して交差する方向（レールに対して傾斜方向）となる。その結果、境界部分近傍において、レールを敷設するまくら木の中間部に軌道の境界部分が位置することになる。
【０００６】
ところが、軌道の境界部分をまくら木の中間部に位置させると、鉄道車輌の片輪がバラスト道床、もう片輪が無道床となる。そのため、このまくら木に対して、鉄道車輌のバラスト軌道から無道床に乗り換える際の衝撃だけではなく、バラスト道床側に偏重した荷重がかかりやすいという問題があった。詳説すると、バラスト道床は無道床に比べて弾性が高いため、まくら木が無道床への設置部分を支点として片持ち梁の状態となる。そのため、まくら木の有道床側の部位が上下に振れて摩耗し易くなる問題があった。
また、まくら木が上下に振れるとまくら木の下方に位置するバラストに衝撃が加わり、バラストが細密化したり、バラストがまくら木の周りに流動したりし、バラスト軌道が沈下しやすくなる。そのため、軌道が不安定になりやすく、またそれを防止するために、メンテナンスを頻繁に行わなければならないという問題があった。
【０００７】
そこで、本発明は、上記した問題点を解決するものであり、バラスト軌道からその他の種類の軌道又は、バラスト軌道以外の軌道からバラスト軌道に変換される領域に配される場合でも、劣化しにくいまくら木及びその設置構造を提供することを課題とするものである。
【課題を解決するための手段】
【０００８】
上記課題を解決するための請求項１に記載の発明は、軌道方向に対して交差する方向に並べられたまくら木本体と、少なくとも隣接する２つのまくら木本体同士を連結する連結部材とを有し、まくら木本体の上部に２本のレールが位置するように設置されるまくら木の設置構造であって、まくら木本体は、道床に敷設されるもので、バラスト道床と、それ以外の道床又は道床が存在しない無道床領域が混在した場所に敷設されるものであり、２本のレールのうち１本のレールがバラスト道床に位置する場所においては、隣接するまくら木本体同士はバラスト道床内で前記連結部材によって連結されるものであり、２本のレールのうち１本のレールの天地方向投影面上には、連結部材が位置しており、もう１本のレールの天地方向投影面上には、連結部材が存在しないことを特徴とするまくら木の設置構造である。
本発明は、軌道方向に対して交差する方向に並べられたまくら木本体と、少なくとも隣接する２つのまくら木本体同士を連結する連結部材とを有し、まくら木本体の上部に２本のレールが位置するように設置されるまくら木の設置構造であって、まくら木本体は、道床に敷設されるもので、バラスト道床と、それ以外の道床又は道床が存在しない無道床領域が混在した場所に敷設されるものであり、２本のレールのうち１本のレールがバラスト道床に位置する場所においては、隣接するまくら木本体同士はバラスト道床内で前記連結部材によって連結されることを特徴とする。
【０００９】
本発明の構成によれば、まくら木本体の少なくとも一部は、バラスト道床に敷設されるものであり、バラスト道床の領域（以下、バラスト領域ともいう）と、それ以外の道床又は道床が存在しない無道床領域（以下、無バラスト領域ともいう）が混在している場所において用いられる。即ち、設置場所は、バラスト道床が設けられた領域と、バラスト道床よりも弾性が低い領域が混在している。そして、このような場所では、上記したような理由により、弾性の高いバラスト道床側に列車車輌等による荷重がかかりやすい。
そこで、本発明の構成によれば、この荷重がかかりやすいバラスト領域において、近接するまくら木本体同士を連結部材によって連結している。即ち、まくら木本体の並設方向に隣接する複数のまくら木本体同士を連結して荷重分散することで、バラスト道床に加わる荷重を低減させ、バラスト道床の劣化を抑制することが可能である。それ故に、バラスト道床が劣化することによるレールの上下動（あおり現象）を抑制することも可能である。即ち、本発明のまくら木の設置構造によれば、列車車輌等が通過することによる振動や音の発生を抑制することが可能である。また、同時に、まくら木本体に対する負荷を低減可能であり、まくら木自体の劣化を抑制することもできる。
【００１０】
請求項２に記載の発明は、連結部材は、線状の繊維で補強されており、当該連結部材であって隣接するまくら木本体間の部位は、レールの延伸方向に繊維補強されていることを特徴とする請求項１に記載のまくら木の設置構造である。
【００１１】
まくら木本体同士を連結した場合、鉄道車輌等が通過する際に、レールが直接的又は間接的に載置されるまくら木本体が上下に振動しようとする外力が働き、連結部材はまくら木本体によって当該外力を受ける。例えば、樹脂製の連結部材を用いた場合において、連結部材の接続部位の曲げ強度が小さいと、連結部材に亀裂が入る場合がある。
そこで、本発明の構成によれば、連結部材であって隣接するまくら木本体間の部位は、レールの延伸方向に繊維補強されている。そのため、たとえ、まくら木本体の上下動による外力を受けても連結部材に亀裂が入りにくい。
【００１２】
請求項１又は２に記載のまくら木の設置構造において、連結部材であって隣接するまくら木本体間の部位の曲げ強度が、２０ＭＰａ以上となっていることが好ましい（請求項３）。
【００１３】
請求項４に記載の発明は、前記バラスト道床に位置するレールは、連結部材の天地方向の投影面上に位置することを特徴とする請求項１乃至３のいずれかに記載のまくら木の設置構造である。
【００１４】
本発明の構成によれば、連結部材の天地方向の投影面上にレールが配されている。言い換えると、連結部材は、レールの鉛直直下の位置に配されている。そのため、列車車輌等の荷重が連結部材に伝わりやすく、列車車輌が通過する際にレールに加わる鉄道車輌等からの荷重を分散しやすい。
【００１５】
ところで、バラスト道床以外の道床又は道床が存在しない無道床領域（無バラスト領域）が剛直な構造の場合、鉄道車輌等が通過することによりまくら木が振動しても、バラスト道床のようにまくら木の下方からの反発力が小さい。そのため、剛直な構造の場合においては、連結部材で隣接するまくら木本体間を連結する必要がない。また、レール鉛直直下の連結部材の数が増えると、レールを敷設するために高さあわせなどの調整が必要となり、施工作業が煩わしい。即ち、できる限り、施工業者は施工作業を単純化したい要望がある。
【００１６】
そこで、請求項１に記載の発明は、２本のレールのうち１本のレールの天地方向投影面上には、連結部材が位置しており、もう１本のレールの天地方向投影面上には、連結部材が存在しないことを特徴とする。
【００１７】
本発明の構成によれば、２本のレールのうち１本のレールの下方にのみ連結部材を設けているため、２本のレールとも連結部材を設ける場合に比べて、構造がシンプルであり、施工作業が容易である。また、コストも低減することができる。
【００１８】
請求項１乃至４のいずれかに記載のまくら木の設置構造において、前記バラスト道床と、それ以外の道床又は道床が存在しない無道床領域との境界部位が、軌道方向に対して傾斜する方向に延伸している場所に設置されることが好ましい（請求項５）。
請求項６に記載の発明は、軌道方向に対して交差する方向に並べられたまくら木本体と、少なくとも隣接する２つのまくら木本体同士を連結する連結部材とを有し、まくら木本体の上部に２本のレールが位置するように設置されるまくら木の設置構造であって、まくら木本体は、道床に敷設されるもので、バラスト道床と、それ以外の道床又は道床が存在しない無道床領域が混在した場所に敷設されるものであり、２本のレールのうち１本のレールがバラスト道床に位置する場所においては、隣接するまくら木本体同士はバラスト道床内で前記連結部材によって連結されるものであり、前記２つのまくら木本体は、前記バラスト道床と、前記無道床領域との境界部位を跨っており、前記境界部位近傍には、天地方向上方に張り出した突起物が設けられており、前記まくら木本体は、その下面に切り欠きが設けられ、当該切り欠きに前記突起物の一部が進入していることを特徴とするまくら木の設置構造である。
【００１９】
請求項７に記載の発明は、軌道上に配されるとともに、道床に敷設されるまくら木において、バラスト道床と、それ以外の道床又は道床が存在しない無道床領域が混在した場所に設置されるまくら木であって、軌道方向に対して交差する方向に並べられたまくら木本体と、少なくとも隣接する２つのまくら木本体同士を連結する連結部材とを有し、まくら木本体は、上部に２本のレールが位置し、２本のレールのうち１本のレールがバラスト道床に位置する部位においては、隣接するまくら木本体同士はバラスト道床内で前記連結部材によって連結しており、道床に敷設された状態において、２本のレールのうち１本のレールの天地方向投影面上に連結部材が位置しており、もう１本のレールの天地方向投影面上に連結部材が位置しないことを特徴とするまくら木である。
本発明は、軌道上に配されるとともに、道床に敷設されるまくら木において、バラスト道床と、それ以外の道床又は道床が存在しない無道床領域が混在した場所に設置されるまくら木であって、軌道方向に対して交差する方向に並べられたまくら木本体と、少なくとも隣接する２つのまくら木本体同士を連結する連結部材とを有し、まくら木本体は、上部に２本のレールが位置し、２本のレールのうち１本のレールがバラスト道床に位置する部位においては、隣接するまくら木本体同士はバラスト道床内で前記連結部材によって連結していることを特徴とする。
【００２０】
本発明の構成によれば、荷重がかかりやすいバラスト領域において、隣接するまくら木本体同士は連結部材によって連結されている。即ち、まくら木本体の並設方向に隣接する複数のまくら木本体同士を連結して荷重分散することで、バラスト道床に加わる荷重を低減させ、バラスト道床の劣化を抑制することが可能である。それ故に、まくら木を敷設するバラスト道床が劣化することによるレールの上下動（あおり現象）を抑制することも可能である。即ち、本発明の構成によれば、列車車輌等が通過することによる振動や音の発生を抑制することが可能である。また、同時に、まくら木本体に対する負荷を低減可能であり、まくら木自体の劣化を抑制することもできる。
【発明の効果】
【００２１】
本発明によれば、隣接するまくら木本体同士がバラスト道床内で前記連結部材によって連結されるため、バラスト軌道からその他の種類の軌道又は、バラスト軌道以外の軌道からバラスト軌道に変換される場所に配される場合でも劣化しにくい。
【図面の簡単な説明】
【００２２】
【図１】本発明の第１実施形態の軌道構造を表す概念図である。
【図２】本発明の第１実施形態のまくら木の斜視図である。
【図３】図２のまくら木の分解斜視図である。
【図４】図１の軌道構造の平面図である。
【図５】図１の軌道構造のまくら木周辺の拡大図である。
【図６】図２のまくら木の繊維の方向を表す説明図であり、両矢印は繊維の方向を表している。
【図７】本発明の他の実施形態の軌道構造を表す図である。
【発明を実施するための形態】
【００２３】
以下に本発明の実施形態について詳細に説明する。
なお、以下の説明において、特に断りがない限り、上下左右の位置関係は、通常の設置位置（図２）を基準に説明する。
【００２４】
第１実施形態にかかるまくら木１は、図１のように鉄道軌道のレール１００を支持するものであり、図５のようにバラスト道床が敷設されたバラスト領域５０と、その他の道床が敷設された又は道床が敷設されていない無バラスト領域５１との境界部分に跨がって敷設されるものである。
具体的には、まくら木１は、図１のように２本のレール１００を直接的又は間接的に支持するものであり、まくら木１の鉄道軌道設置時には、バラスト道床とその他の道床、又は、バラスト道床と道床がない無道床との境界に跨がって敷設される。なお、以下の説明においては、バラスト道床と無道床との境界で用いた場合について説明する。
本実施形態のまくら木１では、図１，図５のようにバラスト道床にまくら木を取り付けるバラスト領域５０から鉄橋の鋼桁１０２に直接まくら木１を取り付ける無バラスト領域５１に亘って使用されるものであり、複数のまくら木本体２を連結部材３によって連結することによって形成されている。
なお、まくら木本体２を連結する本数は、特に限定されないが、本数が多すぎると運搬、施工が煩わしくなる観点から２本以上６本以下であることが好ましい。本実施形態のまくら木１では、４本のまくら木本体２を連結させて形成している。
【００２５】
まくら木１の素材は、まくら木として機能すれば、特に限定されないが、繊維で補強された樹脂であることが好ましく、ガラス長繊維で強化されたポリウレタン樹脂製の発泡成形体（ガラス長繊維強化プラスチック発泡体：Fiber reinforced Foamed Urethane、以下ＦＦＵと称す。）であることが特に好ましい。なお、本実施形態では、まくら木１の素材として、ＦＦＵが用いられている。
ここで、繊維で補強された樹脂が好ましい理由について詳説すると、本実施形態のまくら木１は、上記したように複数のまくら木本体２を連結しており、体積が大きいため、例えばコンクリート製のまくら木を用いると、施工が非常に煩雑となる。また、コンクリート製のまくら木を用いると、重量が大きいため、バラスト領域５０内のバラストへの圧密による細粒化が促進される虞がある。一方、繊維で補強された樹脂の中でも特に本実施形態で用いるＦＦＵ製のまくら木は、コンクリート製のまくら木に比べて重量が１／３程度であり、極めて軽量のため、施工性が高く、バラスト領域５０内のバラストにかかる負荷も小さい。また、まくら木の素材としてＦＦＵを用いると、耐腐朽性や耐久性に優れるという利点もある。
また、本実施形態のまくら木のように、バラスト領域５０と無バラスト領域５１との境界部分にまくら木を敷設する場合、バラスト領域５０と無バラスト領域５１との境界部分では、バラスト領域５０内のまくら木１の下面が接触するバラスト道床の接触面と、無バラスト領域５１内のまくら木の下面が接触する路面の接触面では、同一平面上に面一でなく、部分的に突起や凹みがある場合が多い。そのため、まくら木１の下面にも、この凹凸に対応した加工（例えば、切り欠き１０５）を施す必要がある。この場合、ＦＦＵ製のまくら木は、コンクリート製のまくら木に比べて、加工性に優れている。
【００２６】
また、本実施形態のまくら木１は、まくら木本体２と、連結部材３と、補助固定部５とによって形成されている。
【００２７】
以下、まくら木１の各部材について説明する。まず、まくら木本体２について説明する。
まくら木本体２は、長尺状の角柱部材であり、鉄道車輌が通過するレール１００を直接的又は間接的に支える部材である。まくら木本体２は、図３のように上面固定溝６と、下面固定溝７と、切り欠き部８とを有している。
上面固定溝６は、まくら木本体２の上面を幅方向ｗに切り欠いた溝であり、連結部材３の上面連結部１２が嵌合可能な溝である。そして、上面固定溝６は、まくら木本体２の長手方向ｌの中間部であって、図１，図５のように軌道設置時において、バラスト領域５０に位置する部位に設けられている。なお、ここでいう「中間部」とは、まくら木本体２の長手方向両端部からずれた部位（端部以外の部位）を表す。
下面固定溝７は、図３のようにまくら木本体２の下面を幅方向ｗに切り欠いた溝であり、連結部材３の下面連結部１５が嵌合可能な溝である。そして、下面固定溝７は、上面固定溝６に天地方向ｈに対応した位置に設けられている。
即ち、上面固定溝６と下面固定溝７とが設けられている部位は、正面視すると、まくら木本体２の厚み方向ｈに中心に向かって狭窄した狭窄部１０が形成されている。
【００２８】
また、切り欠き部８は、まくら木本体２の長手方向ｌの無バラスト領域５１側端部（図面手前側）に設けられている。切り欠き部８は、まくら木本体２の上側角部を切り欠いた切り欠きであり、補助固定部５を接着可能な切り欠きである。
【００２９】
続いて、連結部材３について説明する。
連結部材３は、図３のように本体連結部１１と、上面連結部１２と、下面連結部１５とから形成されている。
本体連結部１１は、図２のように隣接するまくら木本体２の間に挟まれて配されるものであり、まくら木本体２の狭窄部１０間を接続する部材である。
本体連結部１１の幅Ｗ１（幅方向ｗの長さ）は、１５０ｍｍ以上５００ｍｍ以下であることが好ましい。本体連結部１１の幅が小さすぎると、本体連結部１１の曲げ強度、弾性率が小さくなりすぎてしまう。また、本体連結部１１の幅が大きすぎると、バラスト道床の突き固めの際の支障となる。
【００３０】
また、本体連結部１１と上面連結部１２と下面連結部１５とのいずれの前後方向ｌの長さも等しい。本体連結部１１の高さ（上下方向ｈの長さ）は、まくら木本体２の狭窄部１０の上面から下面までの長さと等しい。
【００３１】
上面連結部１２は、まくら木本体２の長手方向ｌに対して交差する方向に長辺を有した長方形状の板状体である。また、上面連結部１２は、まくら木本体２の上面に外嵌される部材であり、まくら木本体２の並列方向ｗ全てのまくら木本体２を一体的に連結する部材である。
下面連結部１５は、上面連結部１２と同様、まくら木本体２の長手方向ｌに対して交差する方向に長辺を有した長方形状の板状体であり、まくら木本体２の並列方向ｗ全てのまくら木本体２を一体的に連結する部材である。
【００３２】
続いて、補助固定部５について説明する。
補助固定部５は、図３のようにまくら木本体２の長手方向ｌに対して交差する方向に長辺を有した長尺状の角柱である。補助固定部５は、主にまくら木１を組み立てる際に、位置決め可能な部材である。
【００３３】
続いて、まくら木１の各部材の位置関係について説明する。
まくら木本体２は、まくら木本体２の長手方向ｌに対して交差する方向にそれぞれ平行状態に並べられている。言い換えると、まくら木本体２は、図１のようにレール１００の延伸方向にそれぞれ並設されている。本実施形態では、まくら木本体２は、まくら木本体２の長手方向ｌに対して直交する方向ｗに１列に配されている。
本体連結部１１は、図２のように隣接するまくら木本体２の狭窄部１０の幅方向ｗ側面によって挟まれている。各まくら木本体２の上面固定溝６の溝の底面と、本体連結部１１のそれぞれの上面は、直線上に１列に並んでおり、一つの連続した面を形成している。即ち、まくら木本体２の上面固定溝６の溝底面と、本体連結部１１のそれぞれの上面が面一となっている。
そして、まくら木本体２の上面固定溝６内に上面連結部１２が嵌挿されている。即ち、上面連結部１２は、まくら木本体２の上面固定溝６と、本体連結部１１とによって形成された面に載置されている。
【００３４】
一方、まくら木本体２の下部において、各まくら木本体２の下面固定溝７の溝底面と、本体連結部１１のそれぞれの下面も同様に、直線上に１列に並んでおり、一つの連続した面を形成している。即ち、まくら木本体２の下面固定溝７の溝底面と、本体連結部１１のそれぞれの下面は面一となっている。そして、まくら木本体２の下面固定溝７内に下面連結部１５が嵌挿されている。即ち、下面連結部１５は、まくら木本体２の下面固定溝７と、本体連結部１１とによって形成された面と接触している。
即ち、本体連結部１１は、上面連結部１２の下面と、下面連結部１５の上面によって挟まれている。まくら木１全体から視ると、本体連結部１１のそれぞれの四面は、まくら木本体２と、上面連結部１２と、下面連結部１５とによって囲まれている。
【００３５】
また、連結部材３であって隣接するまくら木本体２間の部位の曲げ強度は、２０ＭＰａ以上となっている。言い換えると、本体連結部１１全体と、上面連結部１２の本体連結部１１との設置部分と、下面連結部１５の本体連結部１１との設置部分との曲げ強度の合計は、２０ＭＰａ以上となっている。曲げ強度が２０ＭＰａ以下になると、バラスト道床上でまくら木に列車荷重が分散されて載荷される荷重に耐えることができない場合がある。
一方、まくら木本体２の長手方向ｌ端部（連結部材３と対向する側）に目を移すと、補助固定部５は、切り欠き部８内に接着されている。即ち、図１のようにまくら木１を鉄道軌道に設置した際に、レール１００の天地方向の投影面から離れた位置に設けられている。言い換えると、レール１００の鉛直直下上に補助固定部５は位置しない。即ち、補助固定部５は、レール１００からの荷重を直接的には受けない。
【００３６】
続いて、本実施形態のまくら木１を鉄道軌道に設置した姿勢について説明する。
まず、まくら木１が敷設される場所について説明する。
本実施形態のまくら木１は、上記したように、図５のようにバラスト道床が敷設されたバラスト領域５０と、その他の道床が敷設された又は道床が敷設されていない無バラスト領域５１との境界部分に跨がって敷設されるものである。
そして、バラスト領域５０と無バラスト領域５１との境界部位は、図４のようにまくら木本体２の長手方向ｌに対して交差する方向であって、まくら木本体２の長手方向ｌに直交する方向を除く方向（傾斜する方向）に延伸している。そして、その境界部位近傍には、図１のように、公知のパラペット等の突起物１０３が天地方向上方に張り出している。まくら木１の下面には、その突起物１０３の張り出し方向に突起物１０３の外面に触れない程度の切り欠き１０５が施されている。
具体的には、この切り欠き１０５は、まくら木本体２に設けられており、連結部材３よりも補助固定部５側に位置している。即ち、切り欠き１０５は連結部材３とはずれた位置に設けられており、連結部材３は切り欠かれていない。なお、切り欠き１０５の位置は、軌道の突起物１０３の位置によって適宜変更される。
【００３７】
また、まくら木１は、図５のようにバラスト領域５０に位置する大部分がバラストに埋まっている。具体的には、天面以外はほとんどバラスト内に埋まっている。一方、無バラスト領域５１に位置する部分は、露出している。
【００３８】
次に、まくら木１と鉄道軌道の他の部材との位置関係について説明する。
鉄道軌道は、従来と同様、図１のように１本のまくら木本体２に２枚のタイプレート１０１が載置され、このタイプレート１０１上に１本ずつレール１００が敷設されている。
具体的には、まくら木本体２の投影面上であって、上面連結部１２の上面に１枚のタイプレート１０１が設置されており、まくら木本体２の中央より切り欠き部８側であって、まくら木本体２の上面にもう一枚のタイプレート１０１が載置されている。そして、この２枚のタイプレート１０１上にレール１００が敷設されている。
このとき、レール１００は、連結部材３の上方に位置している。補助固定部５は、レール１００から長手方向ｌにずれた位置に配されており、具体的には補助固定部５は、レール１００の外側に位置している。
【００３９】
また、本実施形態のまくら木１を設置する軌道では、無バラスト領域５１のまくら木１の下面に位置する路盤が剛直構造であり、荷重を分散させる必要が無い。また、無バラスト領域５１のレール１００の下方に連結部材３を設置すると、その連結部材３の連結強度を確保するために、まくら木本体２の一部を切り欠く必要がある。即ち、上面固定溝６及び／又は下面固定溝７を設ける必要がある。そのため、当該溝を形成することによって、まくら木本体２そのものの強度を低下させてしまう。
特に、本実施形態のように鉄橋の鋼桁１０２に配置されるまくら木１では、一般的にレール１００の位置と鋼桁１０２の位置がずれていることが多い。そのため、まくら木本体２に曲げ応力が大きく発生する。まくら木本体２において、その曲げ応力が大きく加わる部位に曲げ強度を低下させる溝を設けることは好ましくない。このような理由から、バラスト領域５０に位置する部位のみに連結部材３が配されており、無バラスト領域５１には、連結部材３を配していない。即ち、無バラスト領域５１のレール１００の鉛直直下には、まくら木本体２が連結部材３によって連結されていない。
【００４０】
ところが、このようにまくら木本体２の片方のみ（バラスト領域５０に位置する部位）のみを連結部材３で連結すると、まくら木１を施工する際に、取り付け加工の際の移動など外的要因によってまくら木本体２がねじれて、まくら木１を損傷する虞がある。そこで、本実施形態のまくら木１では、補助固定部５によってまくら木本体２の一部を固定している。その結果、まくら木１を施工する際にまくら木本体２がねじれることを防止している。
【００４１】
ところで、本実施形態のまくら木１を形成するに当たって、上記したように、連結部材３であって隣接するまくら木本体２間の部位の曲げ強度が２０ＭＰａ以下になると、複数のまくら木本体２の接続部位が、列車荷重が分散されて発生する外力に耐えることができない場合がある。ところが、従来のＦＦＵ製のまくら木は、繊維の方向がまくら木の長尺方向ｌにのみ延伸しており、幅方向ｗには、まくら木１が補強されていない。そのため、従来のＦＦＵ製のまくら木をつなぎ合わせて、本発明のまくら木１と同様の形状にすると、曲げ強度が２０ＭＰａ以下となり、まくら木本体２の接続部位の曲げ強度が十分でない場合があった。
そこで、本実施形態のまくら木１では、まくら木本体２と、上面連結部１２と下面連結部１５との繊維の方向を変えることによって、隣接するまくら木本体２間の接続部位においても曲げ強度が２０ＭＰａ以上という高い曲げ強度を達成している。
【００４２】
具体的には、まくら木本体２は、図６のように長手方向ｌに線状の繊維が延伸している。上面連結部１２は、幅方向ｗに線状の繊維が延伸している。下面連結部１５は、幅方向ｗに線状の繊維が延伸している。また、補助固定部５は、幅方向ｗに線状の繊維が延伸している。即ち、上面連結部１２と下面連結部１５と補助固定部５のそれぞれの繊維の延伸方向は、まくら木本体２の繊維の延伸方向に対して直交方向に延伸している。また、本体連結部１１は、長手方向ｌに線状の繊維が延伸している。即ち、本体連結部１１の繊維は、まくら木本体２の繊維の延伸方向に対して平行に延伸している。
【００４３】
上記した実施形態では、まくら木本体２同士を連結する上面連結部１２は、レール１００に対して直接的又は間接的に接する部位と接しない部位がある。具体的には、まくら木１は、レール１００を固定する部位にタイプレート１０１を敷設しており、その上にレール１００を配置している。そのため、タイプレート１０１を載置していない上面連結部１２の上面と、タイプレート１０１の上面とでは、タイプレート１０１の厚さ分高さが異なり、タイプレート１０１を載置していない上面連結部１２の上面とレール１００との間に隙間が生じていたが、本発明はこれに限定されるものではなく、図７のように上面連結部１２にタイプレート１０１と同じ厚さの鉄板やゴム板等の位置調整部材１０６を敷いて、連結部材３全体にレール１００の荷重が伝わる構造としても構わない。
【００４４】
上記した実施形態では、まくら木は、バラスト領域５０内でのみ連結されていたが、本発明はこれに限定されるものではなく、連結部材３は、バラスト領域５０と、無バラスト領域５１との境界から連結されていても良いし、無バラスト領域５１からバラスト領域５０にかけて連結されていてもよい。
【００４５】
上記した実施形態では、本体連結部１１の繊維の方向をまくら木本体２の繊維の方向と平行にしたが、本発明はこれに限定されるものではなく、本体連結部１１の繊維の方向は、特に問わない。即ち、まくら木本体２の繊維の方向に交差する方向を向いていてもよい。
【００４６】
上記した実施形態では、無バラスト領域５１とバラスト領域５０の２つの領域が交わる領域にまくら木を設置したが、本発明はこれに限定されるものではなく、例えばバラスト領域５０、無バラスト領域５１、バラスト領域５０のような３つの領域が混在した領域にまくら木を設置してもよい。
【符号の説明】
【００４７】
１  まくら木
２  まくら木本体
３  連結部材
５０  バラスト領域（バラスト道床）
５１  無バラスト領域（それ以外の道床又は無道床領域）
１００  レール
【図１】
0005887190.tif 000002
【図２】
0005887190.tif 000003
【図３】
0005887190.tif 000004
【図４】
0005887190.tif 000005
【図５】
0005887190.tif 000006
【図６】
0005887190.tif 000007
【図７】
0005887190.tif 000008